(57)【要約】【課題】  油分、臭気等を含んだ煙がそのままの状態で排気されるのを防ぎ、ロースターグリル使用時であっても、常に設置可能な排気口カバー、を提供する。【解決手段】  金属薄板製の至金属箔製のカバー半体１と、カバー半体２、とを備える。カバー半体１の窓部３と、カバー半体２の窓部４、を閉じる様に張設されたフィルター５、を備える。長手方向に伸縮自在である。【選択図】図１
2015031508.tif 000002
【特許請求の範囲】
【請求項１】
フィルター５を備えたことを特徴とする排気口カバー。
【請求項２】
倒立桶型の金属薄板製の至金属箔製のカバー半体１に窓部３と、カバー半体２に窓部４、とを敷設されことを特徴とする。
【請求項３】
カバー半体１と、カバー半体２とのそれぞれの長手方向の片端に、磁石付ヨークＭを設置できるように、取付窓６を敷設されたことを特徴とする、請求項１・２記載の排気口カバー
【請求項４】
窓部３と、窓部４とを、閉じるように張設されたフィルター５、を備えたことを特徴とする請求項３記載の排気口カバー。
【請求項５】
長手方向に全体が伸縮自在である請求項１、又は４記載の排気口カバー。
【請求項６】
伸縮ガイド機構Ｓを有し、伸縮ガイド機構Ｓが、内円管状部Ａと、該内円管状部Ａを包み込む外円管状部Ｂを有する請求項１又は、５記載の排気口カバー。
【請求項７】
排気口カバーを、排気口フタＦに、被覆状に設置出来ることを特徴とする請求項１、又は６記載の排気口カバー。
【請求項８】
フィルター５を備えたカバー半体１と、カバー半体２の、互いの長手方向の片端に敷設された取付窓６に、磁石付ヨークＭを備えたことを、特徴とする請求項１、または７記載の排気口カバー。
【発明の詳細な説明】
【技術分野】
【０００１】  本発明は、排気口カバーに関するものである。
【背景技術】
【０００２】  従来、コンロに付設される排気口カバーとしては、調理中の食材等が排気口フタを通して排気口に零れ落ちるのを防ぐために、金属薄板製の至金属箔製の容器状のもので排気口フタの周りを被覆するだけの排気口カバーがあった。【０００３】  しかし、それらは、ロースターグリルを使用する際には、排気のため、都度該容器を取り外さなければならないという大きな欠点があった。【０００４】  この欠点はロースターグリルから排気される油分・臭気等を含んだ煙が、排気口ふたの排気孔部分からそのまま排気されるため、排気口の周りは油分等でべたつき、しかもコンロ周りに臭気が充満していた。【０００５】  また、ロースターグリルとコンロを同時に使用する場合には、調理中であっても排気のため排気口カバーを取り外さなければならなく、そのため調理中の食材等が排気口フタに敷設されている排気孔を通して排気口の中に零れ落ち、更には排気口フタおよび周辺に調理中の油等が飛散する等々、極めて煩わしい事であった。
【発明の概要】
【発明が解決しようとする課題】
【０００６】  解決しようとする問題点は、排気口から排気口フタに敷設されている排気孔を通して排気される油分、臭気等を含んだ煙がそのまま排気される点である。【０００７】  また、コンロ使用時であっても、ロースターグリルを使用する際には、排気口カバーを取り外さなければならない点である。【０００８】  そのため、調理中の食材等が排気口の中に零れ落ちたり、排気口フタに油等が飛散してこびり付いたりする点である。
【課題を解決するための手段】  本発明に係る排気口カバーは、フィルターを備えた物であり、カバー半体１の窓部３と、カバー半体２の窓部４、とを閉じる様に、フィルター５によって張設されたものである。また、長手方向に全体が伸縮自在であり、しかも付設されている磁石付ヨークＭによって、コンロＧ、又は排気口フタＦ、に確実に固着できることを主要な特徴とする。
【発明の効果】  本発明の排気口カバーは、次に記載する効果を奏する。【０００９】  （請求項１・７によれば）排気される油分・臭気等を含んだ煙が外部へ漏れるのを防ぐことが出来る。また、排気口フタＦに敷設されている排気孔から、ゴミや異物が排気口の中に落ちるのを防ぐことができ、更には、排気口フタＦの周辺への調理中の油等の飛散を防ぐことができる。【００１０】  （請求項７によれば）排気口フタＦに被覆状に簡単に設置することができる。【００１１】  （請求項５によれば）排気口フタＦの長さＬ２に応じて設置することが出来る。すなわち、排気口カバーＫの長さ寸法Ｌ１を調整することにより、様々な長さ寸法Ｌ２の排気口フタＦに設置可能である。【００１２】  （請求項６によれば）内円管状部Ａと、外円管状部Ｂ、とがスライドするので軽くスムーズに全体を伸縮することができ、外側半体１ｂと、内側半体２ａとが、容易に外れない。
【図面の簡単な説明】
【００１３】
【図１】  本発明の第１の実施の形態を示す説明用斜視図である。
【図２】  本発明の第２の実施の形態を示す説明用平面図である。
【図３】  カバー本体の短縮状態を示す斜視図である。
【図４】  カバー本体の伸長図を示す斜視図である。
【図５】  カバー半体に、窓部と、磁石付ヨークの取付窓が敷設された状態を示す説明用斜視図である。
【図６】  カバー半体にフィルターを張設された後、磁石付ヨークを付設された状態を示す説明用斜視図である。
【図７】  要部拡大図である。
【図８】  断面側面図である。
【図９】  断面側面図である。
【発明を実施するための形態】
【００１４】  図１、図２は、本発明の実施の形態の使用状態を示す。
【００１５】  図５は、排気口カバーＫの、カバー半体１が窓部３と、磁石付ヨークＭの取付窓６、とを敷設され、カバー半体２が窓部４と、磁石ヨークＭの取付窓６、とを敷設された状態を示す。
【００１６】  図６に示すように、排気口カバーＫは、カバー半体１の窓部３と、カバー半体２の窓部４、とを閉じる様に張設されたフィルター５を備える。フィルター５は、例えば耐熱性不織布、または金属繊維等から成り、該フィルター張設後、カバー半体１と、カバー半体２の長手方向の各片端に磁石付ヨークＭが設置される。
【００１７】  図３、図４に示すように、排気口カバーＫは、長手方向に全体が伸縮自在である。  すなわち、排気口カバーＫは、カバー半体１と、該カバー半体１に対して長手方向に伸縮スライド自在なカバー半体２、とから成る。図３は、排気口カバーＫの短縮状態を示し、図４は、排気口カバーＫの伸長状態を示す。
【００１８】  このように、排気口カバーＫは伸縮自在なので、図１に示すように、排気口フタＦの長手方向の長さ寸法Ｌ２に応じて全体の長さ寸法Ｌ１を調節して、排気口フタＦに被覆状に簡単に設置することが出来る。
【００１９】  具体的には、図７に示すように、排気口カバーＫは、伸縮ガイド機構Ｓを有する。この伸縮ガイド機構Ｓは、内円管状部Ａと、外円管状部Ｂ、とを有し、且つ、外円管状部Ｂが、内円管状部Ａを包囲状に包み込むように篏合されている為、排気口カバーＫが全体を伸縮させるとき、内円管状部Ａと、外円管状部Ｂ、とがスライドするので、軽くスムーズに伸縮を行うことができる。
【００２０】  図７、図８、および図９は、第３の実施の形態を示す。カバー半体１は、平面帯板状である。排気口カバーＫは、平面帯板状の外側半体１ｂと、該外側半体１ｂに長手方向に伸縮スライド自在な平帯板状の内側半体２ａと、から成る。この排気口カバーＫは、排気口フタＦに被覆状に設置され、付設されている磁石付ヨークＭによって、コンロＧ（図２参照）に安全に固着される。
【００２１】  なお、本発明は、設計変更自在であって、フィルター５とカバー半体１、フィルター５とカバー半体２、とは耐熱用の接着剤にて固着されているが、溶着、または溶接、または挟み込むようにして固着されるのも良い。また、フィルター５の製造時に脱臭材を配合してフィルター５を製造しても良いが、フィルター５に脱臭剤をコーテイングするも良い。この場合外部へ排気される臭気が漏れるのをより防止することが出来る。また、排気口カバーＫが、排気口フタＦに、被覆状に設置された後、付設されている磁石付ヨークＭによって、コンロＧに確実に固着されているが、磁石付ヨークＭの付設の有無は自由である。但し設置の安定性に欠ける。また、排気口カバーＫは、排気口フタＦの形状に添って形成されているが、排気口フタＦの形状を無視して、四角形状等に安易に形成するも自由である。
【符号の説明】
【００２５】  １  カバー半体  １
２  カバー半体  ２
３  窓部
４  窓部
５  フィルター
６  取付窓
Ａ  内円管状部
Ｂ  外円管状部
Ｆ  排気口フタ
Ｇ  コンロ
Ｍ  磁石付ヨーク
Ｓ  伸縮ガイド機構
【図１】
2015031508.tif 000003
【図２】
2015031508.tif 000004
【図３】
2015031508.tif 000005
【図４】
2015031508.tif 000006
【図５】
2015031508.tif 000007
【図６】
2015031508.tif 000008
【図７】
2015031508.tif 000009
【図８】
2015031508.tif 000010
【図９】
2015031508.tif 000011